(57)【要約】【課題】レンズ鏡筒に外力等が加わって構成部材の一部に変形が生じた場合にも円滑な動作を確保し得ると共に小型化を阻害することのないレンズ鏡筒を提供する。【解決手段】カムフォロワ１１ｃを有する第１の枠部材１１と、カムフォロワが係合するカム溝１４ａを有し、このカム溝の開口部に当該カム溝の幅よりも広幅の凹部１４ｅを有する第２の枠部材１４とを有して構成する。【選択図】図３
2005115168.tif 000002
【特許請求の範囲】
【請求項１】
カムフォロワを有する第１の枠部材と、
上記カムフォロワが係合するカム溝を有し、このカム溝の開口部に当該カム溝の幅よりも広幅の凹部を有する第２の枠部材と、
を有することを特徴とするレンズ鏡筒。
【請求項２】
カムフォロワを有する第１の枠部材と、
上記カムフォロワが係合するカム溝を有し、このカム溝の開口周縁部に面取りが施されている第２の枠部材と、
を有することを特徴とするレンズ鏡筒。
【発明の詳細な説明】
【技術分野】
【０００１】
この発明は、レンズ鏡筒、詳しくは光学レンズ群を保持するレンズ枠と、このレンズ枠を光軸に沿う方向へと移動させる枠部材等からなり、カメラ等の光学機器に適用されるレンズ鏡筒に関するものである。
【背景技術】
【０００２】
従来より、カメラ等の光学機器に適用されるレンズ鏡筒においては、例えば光学系の焦点距離を所定の範囲内で連続的に又は段階的に変更したり焦点位置の調節を行なうことを目的として、光学系を構成するレンズ群をその光軸に沿う方向に進退させるための機構を備えてなるものが一般的に実用化されている。
【０００３】
このような機構を備えた従来のレンズ鏡筒は、通常の場合、複数のレンズ群のそれぞれを光軸に沿う方向へ所定量だけ移動させることによって所望の変倍動作（ズーム動作という）を実現したり、焦点調節動作（合焦動作又はフォーカス動作という）を行ない得るようにするために、複数のレンズ群をそれぞれ保持する複数のレンズ枠やこれら複数のレンズ枠をその光軸に沿う方向へと移動させ所定の位置に配置する駆動部材となるカム枠等の複数の枠部材等によって構成されている。
【０００４】
そして、各レンズ枠に設けられるカムフォロワと、上記複数の枠部材に形成されるカム溝とを係合させ、上記カム枠等を所望のときに所定の方向へ所定量だけ回動させ移動させることで所望の変倍動作や焦点調節動作等を行ない得るようになっている。この場合において、例えばレンズ枠やカム枠等の枠部材については樹脂部材によって形成されており、カムフォロワ等は金属部材等の硬質部材を用いて形成されているのが一般的である。
【０００５】
一方、このような機構を備えた従来のレンズ鏡筒が適用されるカメラ等の光学機器は、使用者が気軽に持ち歩いてさまざまな場所で使用されるものであることから、その使用中や携帯時において、例えば機器を落下させたり他の物体に衝突させたりする等の可能性が有り、このような場合にはレンズ鏡筒に対して意図しない外力や衝撃力が加わってしまう場合がある。
【０００６】
このような外力や衝撃力（以下、単に外力等という）が、例えばレンズ鏡筒の前面側に加わった場合には、次に示すような不具合が生じる場合がある。
【０００７】
図６は、従来のレンズ鏡筒の一部を拡大して示す要部拡大断面図である。この図６に示すように従来の一般的な形態のレンズ鏡筒においては、外周面上に外側に向けて植設されるカムフォロワ１１１ｃを有する１群レンズ枠１１１と、この１群レンズ枠１１１を内挿し上記カムフォロワ１１１ｃが貫通した形態で係合するカム溝１１４ａを有し、当該レンズ鏡筒が適用される機器の固定部にその後端面が固定される固定枠１１４と、この固定枠１１４の外周側に配設され、上記カムフォロワ１１１ｃが係合する直進溝１１３ａを有する回転枠１１３等、複数の枠部材等によって構成されている。
【０００８】
このような構成のレンズ鏡筒において、図６に示す矢印Ｆ方向の外力等が１群レンズ枠１１１に対して生じた場合には、当該１群レンズ枠１１１のカムフォロワ１１１ｃと固定枠１１４のカム溝１１４ａとが係合する部位において、金属部材等の硬質部材からなるカムフォロワ１１１ｃが、これより軟質の樹脂部材等からなるカム溝１１４ａの周縁部に対して強い力量で衝突することになる。すると、当該カム溝１１４ａの周縁部の一部には、例えば図６の符号Ｄで示すような盛り上がり部や潰れや打痕等の変形が生じてしまうことが考えられる。
【０００９】
このようにカムフォロワ１１１ｃとカム溝１１４ａとが係合し、互いが摺接する部位に、何らかの部材変形が生じてしまうと、例えば盛り上がり部Ｄの変形部位が回転枠１１３の内壁面に干渉（当接）することも考えられ、この干渉等によって枠部材同士の円滑な動作が得られなくなってしまうことも考えらる。したがって、これに起因してレンズ鏡筒自体の円滑な動作が阻害され、レンズ群の円滑な回動及び進退動作を阻害してしまう原因になってしまう。
【００１０】
そこで、例えば特開２００１−２６４６１３号公報等においては、複数のローラ列を移動筒のガイド溝に沿わせて配置したレンズ鏡筒についての開示がなされている。当該公報によって開示されているレンズ鏡筒におけるローラ軸は、ガイド溝との摺接部位となる外周部位に断面が円弧状に形成される樹脂製ローラを被覆したボールベアリングによって軸支される支軸からなり、この支軸はゴム製の支持リング（弾性部材）を介して移動筒に取り付けられている。これにより移動筒は弾性部材を介してローラ軸を支持し、かつローラ軸は円弧形状の樹脂製ローラを介してガイド溝に摺接するようになるので、移動筒に外力が加わった時には弾性部材がその外力を吸収し、かつローラ軸の樹脂製ローラがガイド溝内壁面への負荷を軽減し打痕等が生じるのを抑制している。
【特許文献１】特開２００１−２６４６１３号公報
【発明の開示】
【発明が解決しようとする課題】
【００１１】
ところが、上記特開２００１−２６４６１３号公報によって開示されるレンズ鏡筒においては、外力等を吸収するために設けられる構成が複雑になってしまうという問題点がある。特に、近年においては、カメラ等の光学機器は、その携帯性を考慮して機器自体の小型化傾向があり、上記公報の技術に開示されるような複雑な機構を小型光学機器に採用することは、機器の大型化及び機構の複雑化という観点から望ましい手段ではない。
【００１２】
本発明は、上述した点に鑑みてなされたものであって、その目的とするところは、構成部材の形状を工夫するのみの極めて簡単な手段であるにも関らず、レンズ鏡筒に対して意図しない外力等が加わって構成部材の一部に変形が生じた場合にも円滑な動作を確保し得ると同時に、小型化を阻害することのないレンズ鏡筒を提供することである。
【課題を解決するための手段】
【００１３】
上記目的を達成するために、本発明によるレンズ鏡筒は、カムフォロワを有する第１の枠部材と、上記カムフォロワが係合するカム溝を有し、このカム溝の開口部に当該カム溝の幅よりも広幅の凹部を有する第２の枠部材とを有することを特徴とする。
【発明の効果】
【００１４】
本発明によれば、構成部材の形状を工夫するのみの極めて簡単な手段であるにも関らず、レンズ鏡筒に対して意図しない外力等が加わって構成部材の一部に変形が生じた場合にも円滑な動作を確保し得ると同時に、小型化を阻害することのないレンズ鏡筒を提供することができる。
【発明を実施するための最良の形態】
【００１５】
以下、図示の実施の形態によって本発明を説明する。
【００１６】
図１は、本発明の第１の実施形態のレンズ鏡筒の構成部材を示す分解斜視図である。また、図２は本実施形態のレンズ鏡筒を構成する複数の枠部材のうち固定枠（第２の枠部材）に形成されるカム溝を示す図であって、図１のＡ−Ａ線に沿う縦断面図である。そして、図３は本実施形態のレンズ鏡筒の一部であって、当該レンズ鏡筒を組み立てた状態において図２で示す部位を拡大して示す要部拡大断面図である。
【００１７】
図１に示すように、本実施形態のレンズ鏡筒１は、第１群レンズ１１ａを保持する第１の枠部材である１群レンズ枠１１と、第２群レンズ１２ａを保持する２群レンズ枠１２と、本レンズ鏡筒１が適用されるカメラ等の光学機器の固定部材（図示せず）に対して固定保持される第２の枠部材である固定枠１４と、この固定枠１４の外周側において回動自在に配設される回転枠１３等の複数の枠部材によって構成されている。
【００１８】
１群レンズ枠１１は、例えば略円筒形状の樹脂部材等によって形成されており、その内部の所定の位置、即ち先端寄りの位置には上記第１群レンズ１１ａが固定保持されている。また、１群レンズ枠１１の外周面上であって、その後端縁部近傍の所定の位置には複数の第１カムフォロワ１１ｃが植設されている。
【００１９】
当該第１カムフォロワ１１ｃは、例えば金属部材等の硬質部材によって形成される軸状部材であって、その一端に雄ネジが形成されている。この雄ネジは、１群レンズ枠１１の後端縁部近傍の所定の位置に形成されカムフォロワ取り付け部となるネジ孔１１ｂに対して螺合している。これにより、第１カムフォロワ１１ｃは１群レンズ枠１１の外周面上における所定の位置に、外側に向けて植設されている。なお、本実施形態においては、三本の第１カムフォロワ１１ｃが１群レンズ枠１１の外周面上において略等間隔となる位置に設けられている。
【００２０】
２群レンズ枠１２は、例えば円環形状の樹脂部材等からなり、その内側に上記第２群レンズ１２ａが固定保持されている。また、２群レンズ枠１２の外周面上の所定の位置には複数の第２カムフォロワ１２ｃが植設されている。この第２カムフォロワ１２ｃは、上述の第１カムフォロワ１１ｃと同様の部材及び形状によって形成されるものであって、２群レンズ枠１２の外周面上において略等間隔となる位置に形成されカムフォロワ取り付け部となるネジ孔１２ｂに対して螺合することにより、三本の第２カムフォロワ１２ｃが配設されている。
【００２１】
固定枠１４は、略円筒形状の樹脂部材からなり、上述の第１カムフォロワ１１ｃが係合する第１カム溝１４ａと上述の第２カムフォロワ１２ｃが係合する第２カム溝１４ｂとの二本のカム溝が外周面上の所定の位置に三対穿設されている。
【００２２】
そして、この固定枠１４の内部において１群レンズ枠１１と２群レンズ枠１２とが前面側から順に光軸Ｏに沿う方向に回動自在かつ進退自在に配設されている。そして、第１カムフォロワ１１ｃは第１カム溝１４ａに、第２カムフォロワ１２ｃは第２カム溝１４ｂにそれぞれ摺動自在に係合している。
【００２３】
この二本のカム溝のうち一方の第１カム溝１４ａは、その断面形状が図２に示すように形成されている。即ち、第１カム溝１４ａは、その外周側の開口部が当該第１カム溝１４ａの幅寸法よりも広幅となるように、つまり断面形状が図２において符号１４ｅで示す凹形状（段差形状）となるように形成されている。なお、この符号１４ｅで示す部位を以後の説明において凹部１４ｅというものとする。
【００２４】
換言すれば、カム溝１４ａの幅寸法＝Ｌ１とし、凹部１４ｅの外周開口部側の幅寸法＝Ｌ２とした場合、Ｌ１＜Ｌ２となるように当該カム溝１４ａの断面形状が形成されている。さらに、この幅寸法Ｌ２の部分は、ある程度の深さ、即ち図２に示す深さ寸法Ｄ１を有して形成されている。
【００２５】
また、当該固定枠１４の最後端部にはフランジ部１４ｆが形成されており、本レンズ鏡筒１は、このフランジ部１４ｆを介してカメラの本体固定部等の固定部材（図示せず）に対してネジ止め等の固定手段を用いて固定保持されるようになっている。
【００２６】
回転枠１３は、略円筒形状の樹脂部材等によって形成されており、上記固定枠１４の外周側において回動自在に配設されている。つまり、この回転枠１３の内側に固定枠１４が挿通するようになっている。そして、この回転枠１３には、光軸Ｏに沿う方向に所定の長さ寸法を有する三本の直進溝１３ａが、当該回転枠１３の周面上において略等間隔となる所定の位置にそれぞれ形成されている。そして、この直進溝１３ａには、第１カムフォロワ１１ｃと第２カムフォロワ１２ｃとが摺動自在に係合している。
【００２７】
したがって、第１カムフォロワ１１ｃと第２カムフォロワ１２ｃとは、固定枠１４の第１カム溝１４ａ及び１４ｂのそれぞれに係合した後、回転枠１３の直進溝１３ａに係合している（図３参照）。
【００２８】
そして、固定枠１４の先端周縁部には、その外周面上にＣリング溝１４ｄが形成されていて、Ｃリング１５が嵌合するようになっている。このＣリング１５は、本レンズ鏡筒１を組み立てた状態とした時に、固定枠１４の外周面上に配設される回転枠１３が抜け落ちないように係止するための係止部材となっている。
【００２９】
このように構成されるレンズ鏡筒１が組み立てられた状態において、１群レンズ枠１１に対して図１及び図３に示す矢印Ｆ方向からの外力等が加わった場合には、第１カムフォロワ１１ｃは固定枠１４の第１カム溝１４ａの外周側開口部の周縁角部に当接する前に凹部１４ｅに当接することになる。
【００３０】
この場合において、加わる外力等Ｆの力量によっては、第１カム溝１４ａの内部において凹部１４ｅがまず変形することになる。この変形を考慮して、本実施形態においては、第１カム溝１４ａの凹部１４ｅが形成されている。つまり、当該凹部１４ｅにおける開口側の幅寸法Ｌ２における段差部の深さ寸法Ｄ１は、例えば１群レンズ枠１１に加わる外力等によって第１カムフォロワ１１ｃが第１カム溝１４ａに衝突したときに生じる盛り上がり部Ｄ（図６参照）の盛り上がり高さ寸法等を考慮して設定されている。
【００３１】
つまり、例え当該凹部１４ｅにおいて盛り上がり等の変形が生じたとしても、その変形部位が固定枠１４の第１カム溝１４ａより外周側に突出することがないように、凹部１４ｅの段差部の深さ寸法Ｄ１が設定されている。したがってこれにより、本実施形態のレンズ鏡筒１においては、凹部１４ｅで盛り上がり等の変形が生じたとしても、この盛り上がり等の変形が回転枠１３の回転動作を阻害することがない。
【００３２】
以上説明したように上記第１の実施形態によれば、第１カム溝１４ａの断面形状を図２及び図３に示すような形状、即ち第１カム溝１４ａの外周側の開口部が当該カム溝１４ａの幅寸法よりも広幅となるように、開口部の周縁部に凹部１４ｅを形成したので、１群レンズ枠１１（第１の枠部材）に対して意図しない外力等が加わったときに、１群レンズ枠１１の第１カムフォロワ１１ｃと固定枠１４（第２の枠部材）の第１カム溝１４ａとが当接している部位が変形し盛り上がり等が形成されたとしても、その変形が固定枠１４の外周面よりも外側に向けて突出することがない。これにより、第１カム溝１４ａの部分的な変形がレンズ鏡筒１の動作を阻害することはなく、その円滑な動作を確保することができる。
【００３３】
また、第１カム溝１４ａの形状を工夫するのみの極めて簡単な構成であることから、レンズ鏡筒１の大型化の要因になることもなく、レンズ鏡筒１やこれを適用する機器の小型化を阻害せずに、かつ極めて安価に問題を解消することが容易にできる。
【００３４】
なお、上述の第１の実施形態においては、固定枠１４の第１カム溝１４ａについて、その外周側の開口部に凹部１４ｅを形成するようにした例を示しているが、これに加えて、さらに第１カム溝１４ａの内周側の開口部にも同様の凹部を形成するようにしてもよい。
【００３５】
また、第１カム溝１４ａの開口部の周縁部の形状についても、上述の第１の実施形態に例示する形状（凹部１４ｅ）に限ることはなく、例えば、次に説明する第２の実施形態に示す形状で構成することもできる。
【００３６】
図４及び図５は、本発明の第２の実施形態のレンズ鏡筒を示す図であって、図４は当該レンズ鏡筒の構成部材を示す分解斜視図である。また、図５は当該レンズ鏡筒を構成する複数の枠部材のうち回転枠（第２の枠部材）に形成されるカム溝を示す図であって、図４のＢ−Ｂ線に沿う縦断面図である。
【００３７】
図４に示すように、本実施形態のレンズ鏡筒１Ａの全体的な構成は、基本的には上述の第１の実施形態のレンズ鏡筒１と略同様であって、上述の第１の実施形態においては、固定枠１４に第１カム溝１４ａ及び第２カム溝１４ｂを、回転枠１３に直進溝を形成した形態としているが、本実施形態においては、固定枠１４Ａに直進溝１４Ａａを、回転枠１３Ａに第１カム溝１３Ａａ及び第２カム溝１３Ａｂを形成した形態としている点が異なる。そして、図５に示すように、本実施形態の第１カム溝１３Ａａの断面形状を上述の第１の実施形態における第１カム溝１４ａと異ならせて構成した点に特徴がある。したがって、上述の第１の実施形態と同様の構成部材については同じ符号を附してその説明は省略し、上記異なる点についてのみ以下に詳述する。
【００３８】
本実施形態のレンズ鏡筒１Ａは、上述の第１の実施形態と同様に、第１群レンズ１１ａを保持する第１の枠部材である１群レンズ枠１１と、第２群レンズ１２ａを保持する２群レンズ枠１２と、本レンズ鏡筒１Ａが適用されるカメラ等の光学機器の固定部材（図示せず）に対して固定保持される固定枠１４Ａと、この固定枠１４Ａの外周側において回動自在に配設される第２の枠部材である回転枠１３Ａ等の複数の枠部材によって構成されている。
【００３９】
回転枠１３Ａは、略円筒形状の樹脂部材からなり、１群レンズ枠１１の第１カムフォロワ１１ｃが係合する第１カム溝１３Ａａと２群レンズ枠１２の第２カムフォロワ１２ｃが係合する第２カム溝１３Ａｂとの二本のカム溝が外周面上の所定の位置に三対穿設されている。
【００４０】
この二本のカム溝のうち一方の第１カム溝１３Ａａは、その断面形状が図５に示すように形成されている。即ち、第１カム溝１３Ａａは、その内周側の開口部の周縁部に面取りが施されている。以下、この面取りが施されている部位を面取り部１３Ａｃという。そして、この回転枠１３Ａは、固定枠１４Ａの外周側において回動自在に配設されている。
【００４１】
固定枠１４Ａは、略円筒形状の樹脂部材等によって形成されており、その周面上には、光軸Ｏに沿う方向に所定の長さ寸法を有する三本の直進溝１４Ａａが、当該固定枠１４Ａの周面上において略等間隔で形成されている。そして、この直進溝１４Ａａには、第１カムフォロワ１１ｃと第２カムフォロワ１２ｃとが摺動自在に係合している。
【００４２】
つまり、この固定枠１４Ａの内部には、上述の１群レンズ枠１１と２群レンズ枠１２とが前面側から順に光軸Ｏに沿う方向に回動自在かつ進退自在に配設されており、各レンズ枠１１及び１２の第１カムフォロワ１１ｃ及び第２カムフォロワ１２ｃは、固定枠１４Ａの直進溝１４Ａａに係合した後、回転枠１３Ａの第１カム溝１３Ａａ及び第２カム溝１３Ａｂのそれぞれに摺動自在に係合している。
【００４３】
また、当該固定枠１４Ａの最後端部にはフランジ部１４ｆが形成されており、本レンズ鏡筒１Ａは、このフランジ部１４ｆを介してカメラの本体固定部等の固定部材（図示せず）に対してネジ止め等の固定手段を用いて固定保持されるようになっている。その他の構成は、上述の第１の実施形態と略同様である。
【００４４】
このように構成されるレンズ鏡筒１Ａが組み立てられた状態において、上記１群レンズ枠１１に対して図４に示す矢印Ｆ方向からの外力等が加わった場合には、第１カムフォロワ１１ｃは回転枠１３Ａの第１カム溝１３Ａａの内周側開口部の周縁角部に当接する前に面取り部１３Ａｃに当接することになる。
【００４５】
この場合において、加わる外力等Ｆの力量によっては、第１カム溝１３Ａａの内部において面取り部１３Ａｃがまず変形することになる。したがって、例え当該面取り部１３Ａｃにおいて盛り上がり等の変形が生じたとしても、その変形部位が回転枠１３Ａの第１カム溝１３Ａａより内周面側に突出することはないので、当該回転枠１３Ａの回転動作を阻害するようなことがない。
【００４６】
以上説明したように上記第２の実施形態によれば、第１カム溝１３Ａａの内周側の開口部の周縁部に面取りを施すのみの簡単な構成で、上述の第１の実施形態と同様の効果を得ることができる。
【００４７】
なお、本実施形態においても、さらに第１カム溝１３Ａａの外周側の開口部にも同様の面取りを施すようにしてもよい。
【００４８】
［付記］
上記発明の実施形態により、以下のような構成の発明を得ることができる。
【００４９】
（１）
カムフォロワを有する第１の枠部材と、上記カムフォロワが係合するカム溝を有する第２の枠部材とを有するレンズ鏡筒において、
上記カム溝の開口部には、当該カム溝の幅よりも広幅の凹部を設けて形成されているレンズ鏡筒。
【００５０】
（２）
カムフォロワを有する第１の枠部材と、上記カムフォロワが係合するカム溝を有する第２の枠部材とを有するレンズ鏡筒において、
上記カム溝の開口周縁部には面取りが施されているレンズ鏡筒。
【００５１】
（３）付記（１）に記載のレンズ鏡筒において、
上記凹部は上記カム溝の開口部が外周に向く側又は内周に向く側の少なくとも一方又は両方に形成されている。
【００５２】
（４）付記（２）に記載のレンズ鏡筒において、
上記面取りは上記カム溝の開口部が外周に向く側の周縁部又は内周に向く側の周縁部の少なくとも一方又は両方に形成されている。
【図面の簡単な説明】
【００５３】
【図１】本発明の第１の実施形態のレンズ鏡筒の構成部材を示す分解斜視図。
【図２】図１のレンズ鏡筒を構成する複数の枠部材のうち固定枠（第２の枠部材）に形成されるカム溝を示し、図１のＡ−Ａ線に沿う縦断面図。
【図３】図１のレンズ鏡筒を組み立てた状態において図２で示す部位を拡大して示す要部拡大断面図。
【図４】本発明の第２の実施形態のレンズ鏡筒の構成部材を示す分解斜視図。
【図５】図４のレンズ鏡筒を構成する複数の枠部材のうち回転枠（第２の枠部材）に形成されるカム溝を示し、図４のＢ−Ｂ線に沿う縦断面図。
【図６】従来のレンズ鏡筒の一部を拡大して示す要部拡大断面図。
【符号の説明】
【００５４】
１・１Ａ……レンズ鏡筒
１１・１１１……１群レンズ枠（第１の枠部材）
１１ａ……第１群レンズ
１１ｂ・１２ｂ……ネジ孔（カムフォロワ取り付け部）
１１ｃ・１１１ｃ……第１カムフォロワ（カムフォロワ）
１２……２群レンズ枠
１２ａ……第２群レンズ
１２ｃ……第２カムフォロワ
１３・１１３……回転枠
１３ａ・１１３ａ……直進溝
１３Ａ……回転枠（第２の枠部材）
１４・１１４……固定枠（第２の枠部材）
１３Ａａ・１４ａ・１１４ａ……第１カム溝
１３Ａｂ・１４ｂ……第２カム溝
１３Ａｃ……面取り部
１４ｅ……凹部
１４Ａ……固定枠
１４Ａａ……直進溝
１４ｄ……Ｃリング溝
１４ｆ……フランジ部
１５……Ｃリング（係止部材）
代理人弁理士伊藤進
【図１】
2005115168.tif 000003
【図２】
2005115168.tif 000004
【図３】
2005115168.tif 000005
【図４】
2005115168.tif 000006
【図５】
2005115168.tif 000007
【図６】
2005115168.tif 000008